(57)【特許請求の範囲】
【請求項１】
複数の警告灯ユニットを透光グローブ内に収容し、所望により警告灯ユニットの光源を点滅させて警告照射をするように構成した点滅式警告灯であって、
前記複数の警告灯ユニットを、放物反射面鏡の略焦点位置に光源を配置し、光源の照射光を所定方向へ反射させるように構成した少なくとも１つ以上の反射鏡型ユニットと、外面に周方向へ添って帯状に連続する複数の集光レンズ又は屈折プリズムを形成して成る円筒状のインナーレンズを光源に被せ、光源の照射光をインナーレンズの外側円周方向へ略水平に照射するように構成したインナーレンズ型ユニットとの組み合わせによって構成したとともに、
前記インナーレンズ型ユニットを構成するインナーレンズと反射鏡型ユニットを構成する反射面鏡とが、相互に入れ替え可能で、かつ、入れ替えに伴う光源の焦点位置が共通に成るように構成し、前記各警告灯ユニットを１つの光原と１つのインナーレンズ又は反射面鏡から構成したものであることを特徴とする点滅式警告灯。
【請求項２】
前記透光グローブ内において、その中央部に反射鏡型ユニットを配置し、その両側にインナーレンズ型ユニットを配置したことを特徴とする請求項１の点滅式警告灯。
【請求項３】
前記反射鏡型ユニットを構成する放物反射面鏡の後部に開口窓を設けたことを特徴とする請求項１又は２記載の点滅式警告灯。
【発明の詳細な説明】
【０００１】
【発明の属する技術分野】
本発明は、パトロールカー、救急車等の緊急自動車、道路作業車、レッカー車等の車両（以下「車両」という。）の屋根上に設置し、所望により光源を点滅させて他の車両の運転者や歩行者に対して警告照射をする点滅式警告灯に関するものである。
【０００２】
【従来の技術】
従来から、車両の屋根上においてその横巾一杯を有効に利用するように構成した回転式警告灯が多用されている。この種の回転式警告灯５１は、図８及び図９に示すように、概ね長方形状に形成された基台５２上の左右両側に一対の回転灯５３，５３を配置した構造のものであり、各回転灯５３は、略碗状に形成された一対の一次反射鏡５４を背中合わせに接合すると共に、接合部中心に配置固定した光源（図示していない）回りに、伝導ローラー又はギヤ等を介して駆動機構５５を用いて回転（矢印Ａ方向）させるように構成したものである。また、両回転灯５３，５３の中間部分には二次反射鏡５６が設置してある。この二次反射鏡５６は、図示例のように、４方向に対する反射面を具備しており、これらの反射面を平面から見て菱形形状における４辺部に位置するよう、また反射面相互の接合部、即ち菱形形状における頂点部分が基台５２上における前後方向及び左右方向に位置するように配置した構造に成っている。
【０００３】
このように配置した回転灯５３，５３と二次反射鏡５６とは、一般に防水，防塵，防風等のために透光グローブで覆い、内部を密閉構造としたものが多い。例えば、下辺部を切り欠き、色彩の異なる合成樹脂材により形成した複数個の透光グローブ片５７，５７…を一体的に連結すると共に、各透光グローブ片５７，５７…の上記下辺部切欠縁を基台５２の上縁に形成した固定溝（図示していない）に嵌装固定して該基台５２上に載置した回転灯５３，５３及び二次反射鏡５６を被覆し、かつ両側方開口部を透光グローブ蓋５８，５８で密閉した構造のものである。
【０００４】
【発明が解決しようとする課題】
しかし、従来の回転式警告灯５１は、図９に示すように各回転灯５３，５３、即ち一次反射鏡５４を駆動機構５５により回転させて光源の照射光を略水平円周方向へ照射することができる。また、照射光を二次反射鏡５６に反射させ、その反射光を前後方向（矢印Ｆと矢印Ｒ）へ併せて投射することができ、照射光と反射光が前後方向へ全て同じ光量を照射するものであった。そのために、回転式警告灯５１の点灯照射時に、車両の後方への光量が無駄になるばかりでなく、後方への防眩をするためには別の構造物が必要になるという問題があった。
【０００５】
また、従来の回転式警告灯５１は、回転灯５３，５３を回転させるための駆動機構５５や二次反射鏡５６等の構造が複雑であり、またその組立作業も煩雑に成り、しかも、これらの回転灯５３，５３と二次反射鏡５６は、一旦基台５２上に組み付けられると、その配置を簡単には交換変更することができないという問題もあった。
【０００６】
本発明は、上記問題に鑑みて創案されたものであり、従来の回転灯に代えて点滅動作する光源を用いた反射鏡型ユニットとインナーレンズ型ユニットを併用することにより、インナーレンズ型ユニットを構成するインナーレンズの外側面から略水平円周方向へ照射するように構成すると共に、反射鏡型ユニットを構成する反射面鏡により特定方向、特に車両前方への光量を増加して光源の照射光を効率良く利用し、点滅式警告灯としての警告機能を高めることを目的としている。
【０００７】
【課題を解決するための手段】
上記目的を達成するために、本発明に係る点滅式警告灯は、複数の警告灯ユニットを透光グローブ内に収容し、所望により警告灯ユニットの光源を点滅させて警告照射をするように構成した点滅式警告灯において、上記複数の警告灯ユニットが、少なくとも１つ以上の反射鏡型ユニットと、インナーレンズ型ユニットの組み合わせによって構成されたものであることを要旨としている。
【０００８】
前記インナーレンズ型ユニットは、その外面に周方向へ添って帯状に連続する複数の集光レンズ又は屈折プリズムを形成して成る円筒状のインナーレンズを光源に被せ、光源の照射光をインナーレンズの外側円周方向へ略水平に照射するように構成し、前記反射鏡型ユニットは、放物反射面を形成した反射面鏡の略焦点位置に光源を配置し、光源の照射光を所定方向へ反射させるように構成することができる。
【０００９】
上記反射鏡型ユニットとインナーレンズ型ユニットとは、透光グローブ内において、中央部に反射鏡型ユニットを配置し、その両側にインナーレンズ型ユニットを配置するように構成する。従って、反射鏡型ユニットの後方への照射光が遮光されると共に、前方に対しては反射鏡型ユニットの放物反射面鏡による照射光が増量されるため、車両前方に対する視認性が向上する。
【００１０】
上記インナーレンズ型ユニットを構成する円筒状のインナーレンズと、反射鏡型ユニットを構成する放物反射面を形成した反射面鏡とは、それぞれの光源位置を変更することなく、その配置を相互に入れ替えることができるように構成することができる。
また、上記反射鏡型ユニットを構成する反射面鏡の後部に開口窓を設けることが望ましい。
【００１１】
上記構成によれば、インナーレンズの外面に帯状に形成した複数の集光レンズ又は屈折プリズムが、光源の水平方向への光軸に対応して形成されているため、光源から側面へ出射した照射光は、これらの集光レンズ又は屈折プリズムによって略水平円周方向へ照射される。また、反射鏡型ユニットの反射面鏡によって反射した照射光は、その前方への反射光として照射されるため、光源の照射光と相俟って光量を増加した照射光と成り、他の車両の運転者や歩行者に対する視認性を向上することができる。
【００１２】
透光グローブ内において、その中央に反射鏡型ユニットを配置し、その両側にインナーレンズ型ユニットを配置したものは、インナーレンズ型ユニットの円筒状のインナーレンズを介して光源の点滅照射光を、点滅式警告灯の前後及び左右方向に対する略水平円周方向へ照射することができると共に、反射鏡型ユニットの反射面鏡から反射光を前方へ集中的に照射することができるため、点滅警告灯の左右及び後方に比較して前方への照射光を増量することがてき、前方からの視認性を向上させることができる。
【００１３】
また、インナーレンズ型ユニットと反射鏡型ユニットの配置を適宜入れ替えることができるように構成したものは、救急車、パトロールカー、消防自動車等の車両の種類やその形状、又は警告灯ユニットの数量に応じて点滅式警告灯として最適なユニット構成に組み合わせを変更することが可能になる。更に、反射鏡型ユニットの放物反射面鏡の後部に開口窓を設けたものは、光源の点滅照射光の一部を、この開口窓を介して後方への照射光として出射することができる。
【００１４】
【発明の実施の形態】
以下、本発明に係る点滅式警告灯に関する好適な実施の形態を図面に従って説明する。
【００１５】
〔点滅式警告灯の全体構造〕
図１乃至図３は本発明に係る点滅式警告灯１の全体構造を示すものである。これらの図面において、点滅式警告灯１は、適宜赤色、橙色又は黄色等に着色した複数の透光グローブ片２，２…を組み合わせ、脱着自在に連設して成る透光グローブ筒３を装着する構造に成っている。これらの透光グローブ片２，２…は、点滅式警告灯としての使用目的に応じて、その発光色を変更するため、適宜同一色又は異なる色に組み合わせて構成することができると共に、透光グローブ片２の部分的な破損等が生じた場合にも、その部分のみの交換が可能になるように構成したものである。
【００１６】
また、各透光グローブ片２は、その内周部に隣接する他の透光グローブ片２，２間において、その軸線を一致させるための１又２以上の案内溝４，４…を一体的に形成し、この案内溝４，４…内に隣接する透光グローブ片２，２間に共通する固定ボルト５を挿通した後、螺子部側に係止ナット６を緊締螺合して案内溝４，４の縁端を挟持し、複数個の透光グローブ片２，２同士を一体化固定する構造に成っている。
【００１７】
透光グローブ片２は、側断面形状において略楕円又は長円形状を呈するように形成してあり、下面側端部には側方へ水平に突出するフランジ状の係合縁７を一体成形し、透光グローブ片２の下面側との間に係合溝８を形成したものである。また、各透光グローブ片２を載置固定する基台９は、上記透光グローブ片２側に形成した係合溝８に対応し、これに嵌合させることができるように形成したフランジ状の係合縁１０を具備しており、各透光グローブ片２は、その係合溝８を基台９側の係合縁１０に対し、その側面側から嵌合させて所定部位に装着すると共に、基台９の上面側から立ち上げた固定台１１，１１を介して一体化固定する構造に成っている。また、複数個の透光グローブ片２，２…を連設して成る透光グローブ筒３の側面開口部には透光グローブ蓋１２を被せて密閉する構造に成っている。この透光グローブ蓋１２は、その外側から貫通させた固定螺子１３，１３を側部に位置する透光グローブ片２，２…の上記案内溝４を利用して配設した固定ボルト５端に形成した上記係止ナット６に螺合緊締して透光グローブ筒３と一体化固定するように構成してある。
【００１８】
本発明に係る点滅警告灯１は、上記のように構成した透光グローブ筒３内に複数の警告灯ユニットを収容し、所望により警告灯ユニットの光源１４を点滅させて他の車両や歩行者に対する警告照射をするものであって、これら複数の警告灯ユニットが、少なくとも１つ以上のインナーレンズ型ユニット１５と、反射鏡型ユニット１６の組み合わせによって構成されているものである。
上記各ユニット１５，１６に配設した光源１４，１４…は、点滅回路（図示していない）等によって適宜点滅動作をさせることができるように成っており、その外周にインナーレンズ型ユニット１５を構成する円筒状のインナーレンズ１５ａ，１５ａ…を被せ、又はその後部に反射鏡型ユニット１６を構成する反射面鏡１６ａが装着してある。上記光源１４，１４…、及びインナーレンズ型ユニット１５、又は反射鏡型ユニット１６等の構成部材は、透光グローブ筒３内において長手方向へ自在に摺動させて透光グローブ筒３の側方開口部から出入させることができるように装着した摺動台１７の上面に配列固定されており、保守点検時には点滅式警告灯１自体を車両の屋根上に固定したままで、透光グローブ筒３の側面を密閉している透光グローブ蓋１２を外し、透光グローブ筒３の側方から摺動台１７と共に引き出すことができるように構成してある。光源１４の交換や電源部等の保守点検に際しては、摺動台１７と共に引き出されたインナーレンズ型ユニット１５や反射鏡型ユニット１６を摺動台１７上から取り外して行うことができる。
【００１９】
〔インナーレンズ型ユニットの構造〕
図４（ａ），（ｂ）は、インナーレンズ型ユニット１５の構造を示すものである。
インナーレンズ型ユニット１５は、下方へやや拡開する円筒形状を呈し、頂面をやや上方へ凸面状に曲成した頂面によって密閉すると共に，下方へ開放した構造を有し、透明な合成樹脂材料によって一体成型された円筒状のインナーレンズ１５ａを光源１４に被蓋する構造に成っている。このインナーレンズ１５ａは、基台９側に固定された光源１４に対して、その外周を覆う構造であっても、またインナーレンズ１５ａを光源１４と共に一体ユニット化する構造であってもよい。
図示例に係るインナーレンズ１５ａは、摺動台１７上に取り付けたマウントベース１８の上に配設した光源１４に被せる構造に成っており、適宜摺動台１７の上面に対して、インナーレンズ１５ａの下部開口縁の外周に形成したフランジ１５ｂの下面に突設した複数の突起１９，１９…（図示例では４個所）を、摺動台１７に適宜間隔を設けて透設した透孔２０，２０…（図示例では４個所）に挿抜自在に挿入すると共に、貫通させた各突起１９，１９…の先端に抜止金具２１，２１…を嵌合させて抜け止め固定するように構成してある。しかし、このような突起１９に対する抜止金具２１の嵌合係着手段に代えて、螺子止め固定等の方法を用いることも可能である。なお、各光源１４，１４…は、インナーレンズ１５ａ，１５ａ…の略中心部、即ち略焦点部分に位置するように配置してある。
【００２０】
インナーレンズ１５ａの外面には、光源１４の水平方向への光軸線Ｌに添って帯状に連続するシリンドリカル状の凸レンズで成る集光レンズ２２を形成すると共に、この集光レンズ２２の上下に同じく帯状に連続し、かつ上下に並列した各縦断面形状が略三角形状と成る複数本の屈折プリズム２３，２３…を形成し、光源１４の点滅照射光がこのインナーレンズ１５ａの外面から略水平円周方向へ照射されるように構成してある。
なお、インナーレンズ１５ａの上面については、適宜シボ加工等を施して照射光を拡散させたり、上方への照射光を遮光することができる上面板１５ｃによって密閉した構造にすることもできる。
【００２１】
〔反射鏡型ユニットの構造〕
図５（ａ），（ｂ）は、反射鏡型ユニット１６の構造を示すものである。
反射鏡型ユニット１６は、放物反射面を形成した反射面鏡１６ａの略焦点位置に光源１４を配置し、光源１４の照射光を所定方向、特に車両の前方へ反射させるように構成したものであり、その下端部にスタンド部１６ｂを具備している。この反射面鏡１６ａの後方下部から底部にかけては切欠１６ｃが形成してある。この切欠１６ｃは、反射面鏡１６ａの焦点位置にその下方から光源１４を挿入し、略焦点位置に配置することができる巾を有しており、光源１４の出射光が反射鏡型ユニット１６の前方へ反射されるように構成したものである。
従って、このような反射鏡型ユニット１６を介して前方へ反射された点滅照射光は、点滅灯のみを構成した場合の照射光に比較して光量が増加することができると共に、後方への余分な照射光が削減されるため、インナーレンズ型ユニット１５からの照射光と併せて、後方に比較して車両前方への視認性と警告照射効果を向上する。
また、反射面鏡１６ａの後部には、その略中央部に横長の開口窓２４を透設することもできる。この開口窓２４は、光源１４の点滅照射光の一部を後方へ出射させるものであり、車両後方に対する視認性を向上する。なお、スタンド部１６ｂの下面には下方へ突出する複数の突起２５，２５…が形設してあり、これらの突起２５，２５…を摺動台１７に適宜間隔を設けて透設した上記透孔２０，２０…に対して自在に挿抜させることができ、貫通させた各突起２５，２５…の先端に抜止金具２１，２１…を装着することにより反射鏡型ユニット１６を摺動台１７上に固定することができるように構成したものである。
【００２２】
〔ユニットの固定方法〕
図６は、摺動台１７上にインナーレンズ型ユニット１５、又は反射鏡型ユニット１６を固定する手段を示すものである。
即ち、摺動台１７に装着すべきインナーレンズ型ユニット１５又は反射鏡型ユニット１６の装着数に対応する複数の開口部２６，２６…を適当間隔を設けて開設し、その下側から光源１４を装着するマウントベース１８側の複数のフランジ２７，２７…を、摺動台１７の開口部２６の周縁に透設した螺子孔２８，２８…を介して螺子止め２９，２９…固定する。次に、この開口部２６の周囲に所定間隔を設けて透設した複数の透孔２０，２０…（図示例では４個所）に、インナーレンズ型ユニット１５を構成するインナーレンズ１５ａの下部開口縁の外周に形成したフランジ１５ｂに突設した複数の突起１９，１９…（図示例では４個所）をそれぞれ挿抜自在に貫通させ、透孔２０，２０…を介して突出した各突起１９，１９…の先端に抜止金具２１，２１…を嵌合させて固定するものである。また、反射鏡型ユニット１６を構成する反射面鏡１６ａのスタンド部１６ｂの下面に突設した各突起２５，２５…についても、これらを各透孔２０，２０…に挿抜自在に挿入させ、各透孔２０，２０…を介して突出した各突起２５，２５…の先端に抜止金具２１，２１…を嵌合させて固定する。
図示例において、これらの各透孔２０，２０…は、インナーレンズ１５ａ側の各突起１９，１９…と、反射面鏡１６ａ側の各突起２７，２７…を共通して挿抜させることができるように構成してあり、光源１４，１４…の構成部位を変更することなく、適宜インナーレンズ１５ａと反射面鏡１６ａのみを簡単な手段で入れ替えることができるように成っている。
従って、救急車、パトロールカー、消防自動車等の車両の種類やその形状に応じた警告灯としての最適な円筒状のインナーレンズ型ユニット１５と反射鏡型ユニット１６の組み合わせの変更が可能に成る。なお、各光源１４，１４…は、摺動台１７上においてインナーレンズ型ユニット１５と反射鏡型ユニット１６とを適宜入れ替えても、各焦点位置にインナーレンズ１５ａ又は反射面鏡１６ａを固定することができるように、各透孔２０，２０…の位置と、これに挿抜される各突起１９，１９…，２５，２５…の位置が構成してある。
なお、この実施の形態において、インナーレンズ型ユニット１５と反射鏡型ユニット１６は、各光源１４，１４を摺動台１７上に固定した状態のまま、インナーレンズ１５ａ及び反射面鏡１６ａのみの配置を入れ替えるだけで、それぞれの構成位置を変更することができるように構成してあるが、各光源１４，１４を各ユニット１５，１６に組み込み、ユニット全体の配置を入れ換えるように構成することも可能である。
【００２３】
本発明に係る点滅式警告灯１は、図１又は図２に示すように、２個のインナーレンズ型ユニット１５，１５の間に１個の反射鏡型ユニット１６を並列し、それぞれの光源１４，１４，１４を同一間隔で点滅させることができるように構成してある。しかし、車両周辺への警告照射機能を向上するために、点滅式警告灯１の両端に配設したインナーレンズ型ユニット１５，１５の光源１４，１４を交互に点滅動作させたり、中央に配設した反射鏡型ユニット１６の光源１４を両側に配設したインナーレンズ型ユニット１５，１５の光源１４，１４の点滅速度よりも早く点滅させるように構成して視認性や注意喚起性を高めることも可能である。また、反射鏡型ユニット１６の光源１４を点滅させないで、単に点灯しているだけのもので構成してもよく、警告照射機能を高めるために、上記以外に点滅時間の周期や点滅動作の順番等を種々に変様組み合わせて構成することができる。
【００２４】
なお、本発明に係る点滅式警告灯１は、その目的の範囲内で点滅式警告灯１自体の構造を設計変更することができるものであり、図７に示すように、また警告放音用のスピーカー３０等を付設したり、車両の屋根上横幅一杯を有効に利用するために、スピーカー３０等を中心としてその左右対称位置に点滅式警告灯１，１を構成した大型の装置としても構成することができるものであることは勿論である。
【００２５】
【発明の効果】
本発明に係る点滅式警告灯は、以上のように構成したから、車両の屋根上に設置し、所望により他の車両の運転者や歩行者に対して点滅照射光を警告照射し、路上における自動車等の安全走行に寄与することができる。
【００２６】
インナーレンズ型ユニット側の光源の照射光は、円筒状レンズを介して略水平円周方向へ出射されるため、この照射光を点滅警告灯の前後及び左右水平方向から視認することができる。また、反射鏡型ユニット側の光源の照射光は、放物反射面鏡によってその前方へ反射され、光源自体の照射光と相俟って照射光の光量を増加し、車両進行方向への視認性を向上する。
【００２７】
上記インナーレンズ型ユニットを構成する円筒状のインナーレンズと反射鏡型ユニットを構成する反射面鏡とは、それぞれの光源位置を変更することなく、その配置を相互に入れ替えることができるように成っており、適宜簡単な手段によって自由に組み合わせや配置を変更して使用することができるため、救急車、パトロールカー、消防自動車等の車両の種類やその形状に応じた点滅式警告灯として、最適な警告灯ユニットの組み合わせを構成することができ、点滅式警告灯の利用性や利便性を高めることができる等の優れた効果を有するものである。
【図面の簡単な説明】
【図１】本発明に係る点滅式警告灯の全体構成を示す一部切欠いた正面図である。
【図２】同じく一部切欠いた平面図である。
【図３】同じく拡大側断面図である。
【図４】インナーレンズ型ユニットを摺動台へ取り付ける状態を示す説明図であり、（ａ）は正断面図、（ｂ）は同じく側断面図である。
【図５】反射鏡型ユニットを摺動台へ取り付ける状態を示す説明図であり、（ａ）は正面図、（ｂ）は同じく側面図である。
【図６】インナーレンズ型ユニットと反射鏡型ユニットとを取り付けた摺動台を示す一部切欠いた平面図である。
【図７】警告灯にスピーカーを搭載した他の発明の実施の形態を示す正面図である。
【図８】従来の回転式警告灯を示す正面図である。
【図９】同じく平面図である。
【符号の説明】
１  点滅式警告灯
２  透光グローブ片
３  透光グローブ筒
１４  光源
１５  インナーレンズ型ユニット
１５ａ  インナーレンズ
１５ｂ  フランジ
１５ｃ  上面板
１６  反射鏡型ユニット
１６ａ  反射面鏡
１６ｂ  スタンド部
１６ｃ  切欠
１７  摺動台
１８  マウントベース
１９  突起
２０  透孔
２１  抜止金具
２２  集光レンズ
２３  屈折プリズム
２４  開口窓
２５  突起
２６  開口部（摺動台）
２７  フランジ
２８  螺子孔
２９  螺子
３０  スピーカー
【図１】
0003963286.tif 000002
【図２】
0003963286.tif 000003
【図３】
0003963286.tif 000004
【図４】
0003963286.tif 000005
【図５】
0003963286.tif 000006
【図６】
0003963286.tif 000007
【図７】
0003963286.tif 000008
【図８】
0003963286.tif 000009
【図９】
0003963286.tif 000010